【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
インクを吐出する吐出口が形成された吐出口面を有する記録ヘッドと、
前記記録ヘッドへ供給される前記インクを収容するタンクと、
前記タンクから前記記録ヘッドへ前記インクを供給する供給流路と、
前記記録ヘッドから前記タンクへ前記インクを回収する回収流路と、
前記供給流路に配置され、前記タンクから前記記録ヘッドへ前記インクを供給するための供給ポンプと、
前記タンク内を減圧するタンク内減圧ポンプと、
前記吐出口面を被覆可能なキャップと、
前記供給ポンプと前記タンク内減圧ポンプを駆動するように制御して、前記回収流路に前記インクを充填する制御手段と、
を備え、
前記制御手段は、前記記録ヘッドにインクを充填している間は前記キャップによって前記吐出口面を被覆させ、前記記録ヘッドへのインクの充填が完了後に前記キャップと前記吐出口面とを離間させ、前記キャップと前記吐出口面とを離間させた状態で前記供給ポンプと前記タンク内減圧ポンプを駆動して前記回収流路にインクを充填することを特徴とするインクジェット記録装置。
【請求項２】
前記回収流路に配置され、前記記録ヘッドから前記タンクへ前記インクを回収するための回収ポンプをさらに備え、
前記制御手段は、前記回収流路に対するインク充填の後、前記タンク内減圧ポンプを停止して前記回収ポンプを駆動するように制御することで、前記タンクと前記供給流路と前記記録ヘッドと前記回収流路を含む循環経路で前記インクを循環させることを特徴とする請求項１に記載のインクジェット記録装置。
【請求項３】
前記キャップと接続され、前記キャップ内を減圧可能なキャップ内減圧ポンプをさらに備え、
前記制御手段は、前記回収流路のインク充填を開始する前に、前記キャップが前記吐出口面を覆った状態で、前記供給ポンプと前記キャップ内減圧ポンプを駆動するように制御することで、前記記録ヘッドに前記インクを充填することを特徴とする請求項１または２に記載のインクジェット記録装置。
【請求項４】
前記制御手段は、前記キャップ内減圧ポンプを駆動するように制御することで、前記タンクから前記吐出口までの流路を連通させることを特徴とする請求項３に記載のインクジェット記録装置。
【請求項５】
前記タンク内減圧ポンプは、前記キャップ内減圧ポンプと共通であることを特徴とする請求項３または４に記載のインクジェット記録装置。
【請求項６】
前記キャップ内減圧ポンプと前記キャップとを接続する流路に配置された第１の弁と、
前記キャップ内減圧ポンプと前記タンクとを接続する流路に配置された第２の弁と
をさらに備え、
前記キャップ内減圧ポンプは、前記タンクに接続され、
前記制御手段は、前記記録ヘッドのインク充填が完了した後に、前記第１の弁を閉じ、前記第２の弁を開くように制御することで、前記回収流路に前記インクを充填することを特徴とする請求項５に記載のインクジェット記録装置。
【請求項７】
前記タンクは、前記インクジェット記録装置に着脱可能なメインタンクから供給される前記インクを収容するサブタンクであることを特徴とする請求項１乃至６のいずれか１項に記載のインクジェット記録装置。
【請求項８】
前記記録ヘッドは、前記吐出口と連通し、前記吐出口から吐出される前記インクを充填する圧力室を備え、
前記制御手段は、前記供給ポンプと前記回収ポンプを駆動するように制御することで、前記圧力室の内部を通るように前記インクを循環させることを特徴とする請求項２に記載のインクジェット記録装置。
【請求項９】
前記記録ヘッドは、記録媒体の幅に相当する前記吐出口が、前記吐出口面に配列されたラインヘッドであることを特徴とする請求項１乃至８のいずれか１項に記載のインクジェット記録装置。
【請求項１０】
前記供給流路において前記タンクと前記供給ポンプとの間に配され、前記供給ポンプから前記タンクへ向けてインクが流れることを規制するチェックバルブと、
前記供給ポンプと前記記録ヘッドとの間に配される供給弁と
をさらに備え、
前記制御手段は、前記供給流路と前記記録ヘッドと前記回収流路にインクを充填する前に、前記供給弁を閉じて前記キャップが前記吐出口面を覆った状態で前記キャップ内減圧ポンプを駆動するように制御して、前記供給流路を所定の圧力値まで減圧した後、前記供給弁を開放して前記チェックバルブを開放することを特徴とする請求項３に記載のインクジェット記録装置。
【請求項１１】
前記制御手段は、前記タンク内へインクを回収した後にインクを再び充填する場合は、前記回収ポンプを駆動するように制御することで、前記回収流路にインクを充填することを特徴とする請求項２に記載のインクジェット記録装置。
【請求項１２】
インクを吐出する吐出口が形成された吐出口面を有する記録ヘッドと、
前記記録ヘッドへ供給される前記インクを収容するタンクと、
前記タンクから前記記録ヘッドへ前記インクを供給する供給流路と、
前記供給流路に配置され、前記タンクから前記記録ヘッドへ前記インクを供給するための供給ポンプと、
前記供給流路から前記吐出口へのインクの流れの途中に配置され、吐出口内のインクに負圧を与える負圧制御手段と、
前記吐出口面を被覆可能なキャップと、
前記キャップと接続され、前記キャップ内を減圧可能なキャップ内減圧ポンプと、
前記キャップが前記吐出口面を覆っている間に前記キャップ内減圧ポンプを駆動させ、前記負圧制御手段を通って前記記録ヘッド内にインクを供給させる制御手段と、
を有することを特徴とするインクジェット記録装置。
【請求項１３】
前記制御手段によって前記キャップ内減圧ポンプを駆動することで、前記負圧制御手段を開放し、前記供給流路から前記記録ヘッドまでの流路を連通させることを特徴とする請求項１２に記載のインクジェット記録装置。
【請求項１４】
前記制御手段は、前記キャップによって前記吐出口面を被覆している間に、前記供給ポンプと前記キャップ内減圧ポンプを駆動させ、前記負圧制御手段を通って前記記録ヘッドにインクを供給することを特徴とする請求項１２または１３に記載のインクジェット記録装置。
【請求項１５】
制御手段は、前記供給流路へのインクの供給動作が完了した後に、前記キャップによって吐出口面を覆った状態で前記供給ポンプと前記キャップ内減圧ポンプとを駆動させて、負圧制御手段を通って前記記録ヘッドへのインクの供給を行うことを特徴とする請求項１２乃至１４のいずれか１項に記載のインクジェット記録装置。
【請求項１６】
前記制御手段は、前記キャップ内減圧ポンプの駆動を開始させた後に前記供給ポンプの駆動を開始させることによって前記記録ヘッドにインクを供給することを特徴とする請求項１５に記載のインクジェット記録装置。
【請求項１７】
前記制御手段は、前記キャップ内減圧ポンプを駆動させて前記記録ヘッド内の圧力を所定の圧力まで減圧した後、前記キャップ内減圧ポンプの駆動を停止し、前記供給ポンプの駆動を開始させることで前記記録ヘッドにインクを供給することを特徴とする請求項１６に記載のインクジェット記録装置。
【請求項１８】
前記制御手段は、前記供給ポンプを駆動させて前記供給流路にインクを供給した後に、前記キャップ内減圧ポンプを駆動させることによって前記記録ヘッドにインクを供給することを特徴とする請求項１２乃至１７のいずれか１項に記載のインクジェット記録装置。
【請求項１９】
前記記録ヘッドから前記タンクへ前記インクを回収する回収流路と、
前記タンク内を減圧するタンク内減圧ポンプと、
をさらに有し、
前記制御手段は、前記供給ポンプと前記タンク内減圧ポンプとを駆動させることによって前記回収流路にインクを供給することを特徴とする請求項１２乃至１８のいずれか１項に記載のインクジェット記録装置。
【請求項２０】
第１の負圧制御手段と、
第１の負圧制御手段よりも制御する負圧が高い第２の負圧制御手段と、
前記吐出口に接続する第１の共通流路と、第２の共通流路を有し、
前記第１の負圧制御手段は前記第１の共通流路と接続し、前記第２の負圧制御手段は前記第２の共通流路と接続し、
前記制御手段は、前記キャップ内減圧ポンプを、前記第１の負圧制御手段を開放するように駆動させることを特徴とする請求項１２乃至１９のいずれか１項に記載のインクジェット記録装置。
【請求項２１】
インクを吐出する吐出口が形成された吐出口面を有する記録ヘッドと、
前記記録ヘッドへ供給される前記インクを収容するタンクと、
前記タンクから前記記録ヘッドへ前記インクを供給する供給流路と、
前記記録ヘッドから前記タンクへ前記インクを回収する回収流路と、
前記供給流路に配置され、前記タンクから前記記録ヘッドへ前記インクを供給するための供給ポンプと、
前記タンク内を減圧するタンク内減圧ポンプと、
前記吐出口面を被覆可能なキャップと、
を備えたインクジェット記録装置の制御方法であって、
前記キャップによって前記吐出口面を被覆させ前記供給流路に配置された供給ポンプを駆動して、前記タンクから前記記録ヘッドへ前記インクを供給するステップと、
前記記録ヘッドへのインクの充填が完了後に前記キャップと前記吐出口面とを離間させるステップと、
前記キャップと前記吐出口面とを離間させた状態で前記供給ポンプと前記タンク内減圧ポンプを駆動して前記回収流路にインクを充填するステップと、
を含むことを特徴とするインクジェット記録装置の制御方法。
【請求項２２】
インクを吐出する吐出口が形成された吐出口面を有する記録ヘッドと、
前記記録ヘッドへ供給される前記インクを収容するタンクと、
前記タンクから前記記録ヘッドへ前記インクを供給する供給流路と、
前記供給流路に配置され、前記タンクから前記記録ヘッドへ前記インクを供給するための供給ポンプと、
前記供給流路から前記吐出口へのインクの流れの途中に配置され、吐出口内のインクに負圧を与える負圧制御手段と、
前記吐出口面を被覆可能なキャップと、
前記キャップと接続され、前記キャップ内を減圧可能なキャップ内減圧ポンプと、
を備えたインクジェット記録装置の制御方法であって、
前記キャップで前記吐出口面を覆うステップと、
前記キャップが前記吐出口面を覆っている間に前記キャップ内減圧ポンプを駆動させ、前記負圧制御手段を通って前記記録ヘッド内にインクを供給させるステップと、
を含むことを特徴とするインクジェット記録装置の制御方法。
【手続補正２】
【補正対象書類名】明細書
【補正対象項目名】０００６
【補正方法】変更
【補正の内容】
【０００６】
上記課題を解決するために、本発明の一実施形態に係るインクジェット記録装置は、インクを吐出する吐出口が形成された吐出口面を有する記録ヘッドと、前記記録ヘッドへ供給される前記インクを収容するタンクと、前記タンクから前記記録ヘッドへ前記インクを供給する供給流路と、前記記録ヘッドから前記タンクへ前記インクを回収する回収流路と、前記供給流路に配置され、前記タンクから前記記録ヘッドへ前記インクを供給するための供給ポンプと、前記タンク内を減圧するタンク内減圧ポンプと、前記吐出口面を被覆可能なキャップと、前記供給ポンプと前記タンク内減圧ポンプを駆動するように制御して、前記回収流路に前記インクを充填する制御手段と、
を備え、前記制御手段は、前記記録ヘッドにインクを充填している間は前記キャップによって前記吐出口面を被覆させ、前記記録ヘッドへのインクの充填が完了後に前記キャップと前記吐出口面とを離間させ、前記キャップと前記吐出口面とを離間させた状態で前記供給ポンプと前記タンク内減圧ポンプを駆動して前記回収流路にインクを充填することを特徴とする。